(57)【要約】      （修正有）【課題】簡易に防犯効果の強化が可能な警備装置を提供する。【解決手段】構造物Ｃに貼り付けたり、自立する態様で使用する、警備装置Ａであって、防犯効果を発揮する図画または写真からなる表示面１０と、表示面１０に設ける防犯装置Ｂ１，Ｂ２と、を少なくとも有するよう構成した。防犯装置Ｂ１，Ｂ２は、表示面１０上に設ける態様や、予め構造物Ｃに設置済みのものを表示面１０に形成した露出穴から露出させる態様などを採用できる。【選択図】図１
0003214565.tif 000002
【実用新案登録請求の範囲】
【請求項１】
構造物に貼り付けたり、自立する態様で使用する、警備装置であって、
防犯効果を発揮する図画または写真からなる表示面と、
表示面に設ける防犯装置と、
を少なくとも有することを特徴とする、
警備装置。
【請求項２】
前記防犯装置を、前記表示面の面上に取り付けてあることを特徴とする、
請求項１に記載の警備装置。
【請求項３】
前記防犯装置が、構造物に設置済みであり、
前記表示面に設けた露出穴から、前記防犯装置を露出してあることを特徴とする、
請求項１に記載の警備装置。
【請求項４】
前記表示面は、略等身大の警備員の起立姿勢の上半身部分を少なくとも含むことを特徴とする、請求項１乃至３のうち何れか１項に記載の警備装置。
【請求項５】
前記防犯装置は、ドアホン、インターホン、監視カメラ、人感センサ、内線電話、外線電話、音声出力装置、照明装置の何れかあるいはこれらの任意の組合せからなることを特徴とする、請求項１乃至４のうち何れか１項に記載の警備装置。
【請求項６】
前記表示面に発光機能を付与してあることを特徴とする、請求項１乃至５のうち何れか１項に記載の警備装置。
【考案の詳細な説明】
【技術分野】
【０００１】
本考案は、公共機関、商業施設、オフィスビルなどの屋内外の施設や、住宅などの構造物に貼り付けて使用する、警備装置に関する。
【背景技術】
【０００２】
鉄道などの公共機関、商業施設、オフィスビルなどの屋内外の施設の入口などでは、警備員が立哨警備を行っている。
この有人による立哨警備は、実際に監視・警戒を行うことはもちろんのこと、さらに警備員の存在自体が威嚇効果を発揮するため、監視カメラや各種センサなどによる機械式の無人警備に比べて防犯効果が高いとされている。
【考案の概要】
【考案が解決しようとする課題】
【０００３】
一方で、警備員の人件費の負担や、警備員の人員確保が難しい実情などの点から、近年では、無人による機械警備でありながら、低コストで防犯効果の強化が可能な警備手法の確立が求められている。
【０００４】
よって、本願考案は、簡易に防犯効果の強化が可能な手段の提供を目的とするものである。
【課題を解決するための手段】
【０００５】
上記の課題を解決するための考案された本願の第１考案は、構造物に貼り付けたり、自立する態様で使用する、警備装置であって、防犯効果を発揮する図画または写真からなる表示面と、表示面に設ける防犯装置と、を少なくとも有することを特徴とする。
また、本願の第２考案は、前記第１考案において、前記防犯装置を前記表示面の面上に取り付けてあることを特徴とする。
また、本願の第３考案は、前記第１考案において、前記防犯装置が、構造物に設置済みであり、前記表示面に設けた露出穴から、前記防犯装置を露出してあることを特徴とする。
また、本願の第４考案は、前記第１考案乃至第３考案のうち何れか１つの考案において、前記表示面は、略等身大の警備員の起立姿勢の上半身部分を少なくとも含むことを特徴とする。
また、本願の第５考案は、前記第１考案乃至第４考案のうち何れか１つの考案において、前記防犯装置は、ドアホン、インターホン、監視カメラ、人感センサ、内線電話、外線電話、音声出力装置、照明装置の何れかあるいはこれらの任意の組合せからなることを特徴とする。
また、本願の第６考案は、前記第１考案乃至第５考案のうち何れか１つの考案において、前記表示面に発光機能を付与してあることを特徴とする。
【考案の効果】
【０００６】
本考案によれば、以下に記載する効果のうち、少なくとも何れか１つの効果を奏する。
（１）防犯効果を発揮する図画または写真からなる表示面と、防犯装置とを組み合わせることで、設置場所を無人の状態で防犯機能を付与することができる。
（２）既に構造物に防犯装置を設置済みの現場に対し、簡易に防犯効果の強化が可能となる。
（３）表示面を、略等身大の警備員の起立姿勢の上半身部分を含むように構成することで、周囲への威嚇効果を高められる。
【図面の簡単な説明】
【０００７】
【図１】実施例１に係る警備装置の設置イメージ図。
【図２】実施例２に係る警備装置の設置イメージ図。
【考案を実施するための形態】
【０００８】
＜１＞警備装置
本願考案に係る警備装置は、構造物に貼り付けたり、自立するように設置して使用するものである。
よって、警備装置は、ポスターや、立て看板、キャスター付きのスライド看板などを用いることができる。
本願交換に係る警備装置は、少なくとも防犯効果を発揮する表示面を設けている。
【０００９】
＜１．１＞表示面
表示面は、防犯効果の発揮を目的とする要素である。
表示面は、防犯効果を発揮できるような図画または写真であればいかなるものであってもよい。
本実施例では、表示面に、略等身大の警備員の起立姿勢の上半身部分を含めた態様としている。
表示面を構成する部材の素材や形状は特段限定せず、例えば板状、紙状のものも含み、板や紙単体に限らず、防水処理を施したもの、額に収容したものなどを含む。
また、表示面を半透明のプラスチック板で構成し、背後から投光して発光するよう構成してもよい。
【００１０】
＜２＞防犯装置
防犯装置は、ドアホン、インターホン、監視カメラ、人感センサ、内線電話、外線電話、音声出力装置、照明装置の何れかあるいはこれらの任意の組合せを想定している。
防犯装置は警備装置の表示面に設けてあればよい。
また、防犯装置は、１種類に限らず複数種類を表示面に設けてもよい。
【００１１】
＜３＞まとめ
本願考案に係る警備装置によれば、訪問者に有人警備に近い安心感を与えるとともに、各種犯罪・迷惑行為を行う者（以下「犯罪者等」という。）へ警戒心を与えることができ、低コストかつ簡易に防犯効果の強化が可能となる。
【００１２】
以下、図面を参照しながら、本願考案の実施例について説明する。
【実施例１】
【００１３】
本実施例では、図１に示すように、板状の表示面１０でもって警備装置Ａを構成しており、前記表示面１０に２つの防犯装置Ｂ１，Ｂ２を予め設けた態様で、構造物Ｃに取り付けた状態を想定している。
防犯装置Ｂ１は、無線式のインターホンを想定している。
防犯装置Ｂ２は、人感センサと音声出力装置とを組み合わせた装置であり、人の接近を検知して音声出力装置から案内メッセージを出力するように構成している。
【実施例２】
【００１４】
本実施例では、図２に示すように紙製の表示面１０で警備装置Ａを構成しており、前記表示面１０に露出穴２０を形成しておき、オフィスの玄関口にあるインターホンを防犯装置Ｂを、構造物Ｃとしての壁にパネルやポスターのように貼り付けて使用することを想定している。
【００１５】
露出穴２０は、貼付先の構造物Ｃに設ける防犯装置Ｂを表示面１０から露出するための要素である。
露出穴２０の大きさや設ける箇所は、特段限定せず、防犯装置Ｂの大きさや貼付位置に応じて適宜決定すればよい。
本実施例では、表示面１０中の警備員姿を除いた背景部分の一部をインターホンの外形に併せて切り取って露出穴２０を形成している。
【符号の説明】
【００１６】
Ａ    警備装置
Ｂ    防犯装置
Ｃ    構造物
１０  表示面
２０  露出穴
【図１】
0003214565.tif 000003
【図２】
0003214565.tif 000004